(57)【要約】    【課題】  宛名情報用の二次元コードを接続された読取り装置により読取るだけで、固定客の宛名ラベルが発行できる宛名ラベル発行プリンタおよび宛名ラベル発行方法を提供することを課題とする。【解決手段】  所定の記録用紙３に記録された二次元コード情報４に基づき、ラベル紙に顧客コードなどを含む宛名情報を印字した宛名ラベル４０を発行する読取り装置２付の宛名ラベル発行プリンタ１であって、二次元コード情報４は、宛名情報と、この宛名情報を宛名ラベルに印字する際の文字種、文字サイズ、印字位置、改行などを含む制御コードと、をコード化した二次元コードで形成され、読取り装置２により二次元コード情報４を読取って宛名ラベル４０を発行すること特徴とする。【選択図】        図１
2005313333.tif 000002
【特許請求の範囲】
【請求項１】
所定の記録用紙に記録された二次元コード情報に基づき、ラベル紙に顧客コードなどを含む宛名情報を印字した宛名ラベルを発行する読取り装置付の宛名ラベル発行プリンタであって、
前記二次元コード情報は、宛名情報と、この宛名情報を前記宛名ラベルに印字する際の文字種、文字サイズ、印字位置、改行などを含む制御コードと、をコード化した二次元コードで形成され、
前記読取り装置により前記二次元コード情報を読取って前記宛名ラベルを発行すること特徴とする宛名ラベル発行プリンタ。
【請求項２】
前記記録用紙には、二次元コード情報と、この二次元コード情報の内容が目視可能な文字で印字された内容表示部と、が対になって設けられていることを特徴とする請求項１に記載の宛名ラベル発行プリンタ。
【請求項３】
所定の記録用紙に記録された二次元コード情報に基づき、ラベル紙に顧客コードなどを含む宛名情報を印字した宛名ラベルを発行する読取り装置付の宛名ラベル発行方法であって、
前記宛名情報、およびこの宛名情報を前記宛名ラベルに印字する際の文字種、文字サイズ、印字位置、改行などを含む制御コードを組合せて所望の制御コマンドを作成する宛名情報作成ステップと、
前記制御コマンドに基づき二次元コード化した前記二次元コード情報を生成する二次元コード生成ステップと、
前記二次元コード情報を記録用紙に印字する第１の印字ステップと、
前記印字された二次元コード情報を読取る読取りステップと、
読取った前記二次元コード情報に基づき宛名情報をラベルに印字して宛名ラベルを作成する第２の印字ステップと、
より成ることを特徴とする宛名ラベル発行方法。
【請求項４】
前記第１の印字ステップは、記録用紙に前記二次元情報コードを印字するのに加え、さらに、対で前記宛名ラベルの書式による前記宛名情報の内容表示部を印字する機能を有することを特徴とする請求項３に記載の宛名ラベル発行方法。
【請求項５】
さらに、前記第２の印字ステップにて前記宛名ラベルを作成した際、前記顧客コードを記憶する記憶ステップと、この記憶ステップにて記憶した作成済み宛名ラベルの前記顧客コードを一括してホストコンピュータに送信する送信ステップとを備えることを特徴とする請求項３に記載の宛名ラベル発行方法。
【発明の詳細な説明】
【技術分野】
【０００１】
本発明は、特に、固定情報のみで形成された宛名ラベルを発行するのに好適な宛名ラベル発行プリンタおよび宛名ラベル発行方法に関する。
【背景技術】
【０００２】
従来、二次元コードを利用して名刺よりデータベース（ＤＢ）を作成するようなことが行われている（例えば、特許文献１参照）。
これによれば、シート（名刺）上に文字情報を符号化した二次元コードを付すことにより、名刺上の二次元コードを読取れば、名刺のデザインやこれに記されている会社名、役職名、住所、氏名などの文字情報の字体等に関わらず名刺上の文字情報を入力してＤＢへの登録を容易、かつ、正確に行えるものである。
しかしながら、上記は、二次元コードを読取るスキャナ（画像入力装置）および二次元コードを印字するプリンタ（画像形成装置）のほか、入出力装置の処理動作を制御し、かつ、前記住所、氏名などの宛名を含む情報を記憶するためのコンピュータ（中央処理装置）を必要としていたので、導入費用が高価になるばかりかコンピュータを介する分、操作が複雑になるという問題がある。
【０００３】
上記の問題を解決するため、パソコンやその他の装置との接続を不要とした上で、宛名ラベルを作成するような宛名書きプリンタが提供された（例えば、特許文献２参照）。
このプリンタによれば、名刺情報から宛名書きに必要な宛名情報を抽出するとともに抽出した宛名情報に基づく文字列を所定の書式で配列するようになっている。
しかしながら、上記のプリンタは、パソコンや周辺機器をプリンタに接続する必要がないものの、先の特許文献１と同様、名刺より得た情報を名刺情報として一旦記憶部に記憶し、記憶されている名刺情報から宛名書きに必要な宛名情報を抽出するとともに、所定の書式に配列するようになっており、宛名情報の抽出や所定書式への配列のためプログラムを介在させる必要があるという問題があった。
【特許文献１】特開２００３−１５４７７４号公報
【特許文献２】特開平１０−１３８５７１号公報
【発明の開示】
【発明が解決しようとする課題】
【０００４】
本発明は、上記の問題点に着目して成されたものであり、宛名情報用の二次元コードを、接続された読取り装置により読取るだけで、固定客の宛名ラベルが発行できる宛名ラベル発行プリンタおよび宛名ラベル発行方法を提供することを課題とする。
【課題を解決するための手段】
【０００５】
請求項１に記載の宛名ラベル発行プリンタは、所定の記録用紙に記録された二次元コード情報に基づき、ラベル紙に顧客コードなどを含む宛名情報を印字した宛名ラベルを発行する読取り装置付の宛名ラベル発行プリンタであって、前記二次元コード情報は、宛名情報と、この宛名情報を前記宛名ラベルに印字する際の文字種、文字サイズ、印字位置、改行などを含む制御コードと、をコード化した二次元コードで形成され、前記読取り装置により前記二次元コード情報を読取って前記宛名ラベルを発行すること特徴とする。
また、記録用紙には、二次元コード情報と、この二次元コード情報の内容が目視可能な文字で印字された内容表示部と、が対になって設けられるようにできる。
請求項３に記載の宛名ラベル発行方法は、所定の記録用紙に記録された二次元コード情報に基づき、ラベル紙に顧客コードなどを含む宛名情報を印字した宛名ラベルを発行する読取り装置付の宛名ラベル発行方法であって、前記宛名情報、およびこの宛名情報を前記宛名ラベルに印字する際の文字種、文字サイズ、印字位置、改行などを含む制御コードを組合せて所望の制御コマンドを作成する宛名情報作成ステップと、前記制御コマンドに基づき二次元コード化した前記二次元コード情報を生成する二次元コード生成ステップと、前記二次元コード情報を記録用紙に印字する第１の印字ステップと、前記印字された二次元コード情報を読取る読取りステップと、読取った前記二次元コード情報に基づき宛名情報をラベルに印字して宛名ラベルを作成する第２の印字ステップと、より成ることを特徴とする。
また、第１の印字ステップは、記録用紙に二次元情報コードを印字するのに加え、さらに、対で宛名ラベルの書式による宛名情報の内容表示部を印字する機能を有するようにできる。
さらに、第２の印字ステップにて宛名ラベルを作成した際、顧客コードを記憶する記憶ステップと、この記憶ステップにて記憶した作成済み宛名ラベルの顧客コードを一括してホストコンピュータに送信する送信ステップとを備えるようにできる。
【発明の効果】
【０００６】
記録用紙に印字された二次元コード情報を、紙の種類やサイズの指定、開始位置、文字種、文字サイズなどの制御コードを含んだものとしたので、接続された読取り装置で読取るだけで制御コマンドに従った宛名ラベルが作成、発行できるため、パソコンが不要であり、発送処理が集中するときにおいても簡単に宛名ラベルが発行できるという効果がある。
【発明を実施するための最良の形態】
【０００７】
以下、本発明の実施の形態による宛名ラベル発行プリンタを図１ないし図７に基づき説明する。
【０００８】
図１は、本発明の宛名ラベル発行プリンタを用いた宛名ラベル発行の一実施の形態の構成例を示す、概略説明図である。
図１に示すように、宛名ラベル発行プリンタ（以下、適宜、単にプリンタと称す）１は、読取り装置としての二次元スキャナ（以下、適宜、単にスキャナと称す）２を備えている。また、３は、後述する二次元コード情報４が複数、記録された記録用紙である。
【０００９】
図２は、プリンタ１の概略説明図である。同図に示すように、プリンタ１は、後述する「宛名ラベル４０」が仮着された「ラベル連続体５０」を装着する供給軸５と、検出手段としての反射センサ６と、印字手段としての印字部７と、制御部８と、を備える。
反射センサ６は、所定の光を出射する発光部６ａと、発光部６ａから出射された光のラベル連続体５０からの反射光を受光し、受光した光の強度（単位時間当たりの受光量）に対応する電気信号を出力する受光部６ｂとからなり、ラベル連続体５０の裏面に前記発光部６ａと受光部６ｂを配し、ラベル連続体５０の裏面に印刷等によって形成された図示省略の識別マーク（黒の矩形のマーク）を、受光部６ｂの受光量に基づいて検出する位置検出用のセンサである。
印字部７は、印字ヘッド９およびプラテンローラ（以下、適宜、単にプラテンと称す）１０を備えており、プラテン１０は、ベルト１１を介してステッピングモータ１２に接続されている。また、印字ヘッド９は、所望の印字データ（図示省略）を後述のラベル紙５２に印字できるようになっている。
また、制御部８は、前記各部と接続されており、各部の動作が制御できるようになっている。
なお、供給軸５に装着したラベル連続体５０は、反射センサ６を経て印字ヘッド９およびプラテン１０の間に引出し、印字ヘッド９とプラテン１０とにより挟持し、ベルト１１を介してステッピングモータ１２の回転を伝達してプラテン１０を回転させることにより下流側へと搬送するようになっている。
【００１０】
図３は、図２の実施の形態の電気的な構成例を示すブロック図である。同図に示すように、本実施の形態は、主に、各部を制御するＣＰＵ（ｃｅｎｔｒａｌ  ｐｒｏｃｅｓｓｉｎｇ  ｕｎｉｔ）２０と、ＣＰＵ２０の動作を制御する制御プログラムや各種データを記憶するＲＯＭ（ｒｅａｄ  ｏｎｌｙ  ｍｅｍｏｒｙ）２１と、一時的にデータなどを記憶するＲＡＭ（ｒａｎｄｏｍ  ａｃｃｅｓｓ  ｍｅｍｏｒｙ）２２と、印字ヘッド９を制御する印字制御部２３と、ステッピングモータ１２を制御するモータ制御部２４と、反射センサ６の信号を制御するセンサ制御部２５と、二次元スキャナ２を制御するスキャナ制御部２６と、色々な色のＬＥＤ（Ｌｉｇｈｔ  ｅｍｉｔｔｉｎｇ  ｄｉｏｄｅ）、いわゆる、発行ダイオードの点滅により動作状態を表す表示器２７と、表示器２７を制御する表示制御部２８と、オプションとして、外部機器、例えば、パソコン（以下、適宜、単に、ＰＣと称す）２９との間でデータの授受を可能としたインタフェース部３０と、このインタフェース部３０を制御する外部インタフェース制御部３１と、を備える。
なお、３２は、バッテリを示す。
また、３３は、ＲＡＭ２２内に設けられた、後述する宛名ラベル４０を発行した会員番号を記憶する発行済会員番号記憶エリアである。
【００１１】
次に、図４を用いて、プリンタ１にて使用する制御コマンドにつき説明する。
同図に示すように、制御コマンド３４は、コマンドの開始を示す“ＥＳＣ（エスケープコード）”と、コマンドの終了を示す“Ｚ”の間に各種の設定が行われており、“ＥＳＣ”に続いて、紙の種類およびサイズの指定が設定されている。
また、前記紙の種類およびサイズの指定に引き続いては、データが設定されており、データの先頭部分には、図示省略のＩＤとともにデータの開始位置、すなわち、開始の縦位置・横位置、文字種および文字サイズが設定され、これに続いて“Ｄ”のＩＤで定義された実データが設定されている。図示の例では、実データの１番目（コマンド３４の２行目）は、「〒１５０−００１３」が半角英数字で設定され、次いで漢字にて「渋谷区恵比寿○丁目×番地△号」、引き続き「（株）○○○」、「総務部  総務課」、「佐藤    一郎」、最後に、「（会員番号１２３４５６）」などの宛名情報が設定されている。なお、同図の例では、説明の都合上、制御コマンド３４を複数行に分けた例で説明したが、開始の縦位置・横位置、文字種、文字サイズの先頭に付加されたＩＤ（図示省略）と、実データのＩＤ（図示の例では、“Ｄ”）とにより区別がつくようになっているため、連続した設定が可能であり、図１の記録用紙３の二次元コード情報４は、上記制御コマンド３４を連続して二次元バーコード化して生成し印字したものである。
【００１２】
次いで、図５に従い、宛名ラベル４０を説明する。
図５は、台紙５１にラベル紙５２が等間隔に仮着されたラベル連続体５０を示しており、かつ、ラベル紙５２は、印字部７にて所望の宛名情報が印字された後の宛名ラベル４０となっている。
【００１３】
同図の宛名ラベル４０を印字するためには、図１に示すように、プリンタ１に接続されたスキャナ２にて、記録用紙３に記録された宛名情報を含む二次元コード情報４を読取るだけでよく、スキャナ２を介して前記のような制御コマンド３４を受取ると、ＲＯＭ２１に設定されたコマンド一覧（図示省略）に従いＣＰＵ２０を介し印字部７などを作動して宛名ラベル４０を作成、発行するものである。
【００１４】
次に、図６のフローチャートに従い、記録用紙３の作成手順を説明する。
ステップＳ０１にて、顧客の宛名情報よりプリンタ１の書式に則った制御コマンド３４（図４参照）を作成し、ステップＳ０２にて、制御コマンド３４に基づき二次元コードを生成し、ステップＳ０３にて記録用紙３に二次元コード情報４として印字する。記録用紙３（図１参照）は、制御コード付きの宛名情報を含む二次元コード情報４が複数印字された、いわば、「顧客宛先一覧」である。
【００１５】
次に、図７に基づき、宛名ラベル４０の発行手順につき説明する。
ステップＳ１１にて、二次元スキャナ２により記録用紙３に印字された二次元コード情報４を読取り、ステップＳ１２にて、読取った二次元コード情報４をプリンタ１の制御コマンド（図示省略）に従い解析し、ステップＳ１３にて宛名ラベル４０を作成・発行する。
次いで、ステップＳ１４にて、発行した宛名ラベル４０の会員番号をＲＡＭ２２の発行済会員番号記憶エリア３３に記憶して処理を終了する。
【００１６】
なお、発行済会員番号記憶エリア３３に記憶された会員番号は、宛名ラベル４０の発行が終了した時点で、外部インタフェース制御部３１およびインタフェース部３０を介してパソコン２９に送信することができるようになっており、顧客管理を行っているパソコン２９に送信することで、宛名ラベル４０を発行して郵送した会員の管理ができるようになっている。
【００１７】
前述したように、記録用紙３に印字された二次元コード情報４は、紙の種類やサイズの指定、開始位置（縦位置、横位置）、文字種、文字サイズ、改行などの制御コードを含んでおり、プリンタ１に接続されたスキャナ２で読取るだけでプリンタ１より制御コマンド３４に従った宛名ラベル４０が作成、発行できるため、パソコンが不要であり、発送処理が集中するときにおいても簡単に宛名ラベル４０が発行できるものである。
【００１８】
次に、図８に従い、記録用紙の他の実施の形態につき説明する。
なお、従来と同様の部分には同一符合を付すに止め、詳説を省略する。
記録用紙６０には、二次元コード情報４と、この二次元コード情報４を「宛名ラベル」の書式に従って印字した内容表示部６１が並列して設けられている。
先の実施の形態では、二次元コード情報４が単に並んで印字されているだけのため、宛名ラベル４０を印字するまで「宛名情報」が分からなかったが、本実施の形態によれば、符号化された二次元コード情報４と、この二次元コード情報４を「宛名ラベル」の書式に従って印字した内容表示部６１が、対となって並列して設けられているため、宛名情報が明確となるものである。
なお、本実施の形態においては、内容表示部６１を印字した例で説明したが、二次元コード化して記録用紙６０に印字した二次元コード情報４をスキャナ２で読取り、宛名ラベル４０を発行して書式を確認した後、発行した宛名ラベル４０を内容表示部６１に貼り付けてもよい。発行した宛名ラベル４０を内容表示部６１に用いるようにすれば、書式、サイズなどが目視できるため、宛名ラベル発行時の一助となる。
他の構成、作用、効果については、先の実施の形態とほぼ同様につき、詳説を省略する。
【００１９】
なお、上記実施の形態の構成及び動作は例であって、本発明の趣旨を逸脱しない範囲で適宜変更することができることは言うまでもない。
【００２０】
例えば、プリンタ１で用いるラベル連続体５０として、ラベル紙５２が台紙５１に仮着された例で説明したがこれに限定されないことは勿論であり、台紙のない、いわゆる台紙なしラベルであっても構わない。
【図面の簡単な説明】
【００２１】
【図１】本発明に係る宛名ラベル発行プリンタを用いた宛名ラベル発行の一実施の形態による構成例を示す概略説明図である。
【図２】宛名ラベル発行プリンタの一実施の形態の概略説明図である。
【図３】同、図２の電気的な構成例を示すブロック図である。
【図４】同、宛名ラベル発行プリンタにて使用する制御コマンドの説明図である。
【図５】同、図４の制御コマンドにより印字した宛名ラベルの概略説明図である。
【図６】同、記録用紙の作成手順を示すフローチャートである。
【図７】同、宛名ラベルの発行手順を示すフローチャートである。
【図８】同、記録用紙の他の実施の形態を示す概略説明図である。
【符号の説明】
【００２２】
１    宛名ラベル発行プリンタ（プリンタ）
２    読取り装置（二次元スキャナ）
３    記録用紙
４    二次元記録情報
５    供給軸
６    反射センサ
７    印字部
８    制御部
９    印字ヘッド
１０  プラテンローラ（プラテン）
１１  ベルト
１２  ステッピングモータ
２０  ＣＰＵ
２１  ＲＯＭ
２２  ＲＡＭ
２３  印字制御部
２４  モータ制御部
２５  センサ制御部
２６  スキャナ制御部
２７  表示器
２８  表示制御装置
２９  パソコン（ＰＣ）
３０  インタフェース部
３１  外部インタフェース制御部
３２  バッテリ
３３  発行済会員番号記録エリア
３４  制御コマンド
４０  宛名ラベル
５０  ラベル連続体
５１  台紙
５２  ラベル
６０  記録用紙
６１  内容表示部
【図１】
2005313333.tif 000003
【図２】
2005313333.tif 000004
【図３】
2005313333.tif 000005
【図４】
2005313333.tif 000006
【図５】
2005313333.tif 000007
【図６】
2005313333.tif 000008
【図７】
2005313333.tif 000009
【図８】
2005313333.tif 000010